(57)【要約】【課題】底版に軸引張力が発生することを抑止して、ＰＣ鋼材の配置数を削減することを可能にした低温液体貯蔵用タンクを提供する。【解決手段】底版２と、底版２に下端部３ａを剛結して立設した筒状の防液堤３と、底版２と防液堤３で囲まれた内部に配設され、低温液体１を貯蔵するための貯槽４とを備える低温液体貯蔵用タンクＢであって、底版２には、端部側Ｓ２に周方向に延在してプレストレスを導入するＰＣ鋼材８が配設されるとともに、貯蔵した低温液体１によって周辺地盤Ｇが凍結膨張することを防止するための底部ヒータ１０が埋設されている。そして、この底部ヒータ１０を、底版２の中央部側Ｓ１から底版２の端部側Ｓ２まで延設するようにした。【選択図】図１
2014008984.tif 000002
【特許請求の範囲】
【請求項１】
底版と、該底版に下端部を剛結して立設した筒状の防液堤と、前記底版と前記防液堤で囲まれた内部に配設され、低温液体を貯蔵するための貯槽とを備える低温液体貯蔵用タンクであって、
前記底版には、端部側に周方向に延在してプレストレスを導入するＰＣ鋼材が配設されるとともに、貯蔵した前記低温液体によって周辺地盤が凍結膨張することを防止するための底部ヒータが埋設され、
前記底部ヒータが前記底版の中央部側から前記底版の端部側まで延設されている、あるいは前記底部ヒータが前記底版の中央部側から前記防液堤の内面まで延設されるとともに、前記底版の端部側に別系統の底部ヒータが配設されていることを特徴とする低温液体貯蔵用タンク。
【請求項２】
請求項１記載の低温液体貯蔵用タンクにおいて、
前記底部ヒータがブレインヒータであることを特徴とする低温液体貯蔵用タンク。
【発明の詳細な説明】
【技術分野】
【０００１】
本発明は、例えば液化天然ガス等の低温液体の貯蔵に用いられる低温液体貯蔵用タンクに関する。
【背景技術】
【０００２】
従来、図２に示すように、液化天然ガス（ＬＮＧ）、液化石油ガス（ＬＰＧ）等の低温液体１を貯蔵するためのタンク（低温液体貯蔵用タンクＡ）には、底版２と、底版２に下端部３ａを繋げて立設される円筒状の防液堤３と、底版２と防液堤３で囲まれた内部に配設される金属製の貯槽（内槽）４とを備えて構成したものがある。また、この種の低温液体貯蔵用タンクＡは、一般に、上部に平板状あるいはドーム状の屋根５を設け、さらに貯槽４と底版２、防液堤３、屋根５との間に保冷材６を設けて構築される（例えば、特許文献１参照）。
【０００３】
また、防液堤３は、貯槽４から万一低温液体１が漏洩した場合にこの低温液体１の拡散を局所化（防止）するためのものであり、その下端部３ａを底版２に剛結して設けられている。さらに、防液堤３は、プレストレストコンクリート造で構築されることが多く、周方向に配置したＰＣ鋼材７によってプレストレスを導入することにより、漏液時に低温液体１を確実に保持できるようにしている。また、底版２にも、その端部２ａ側に周方向にＰＣ鋼材８を配置してプレストレスが導入され、漏液時に低温液体１を確実に保持できるようにしている。なお、図２には低温液体漏洩時の防液堤３の外力状態を示している。
【０００４】
さらに、貯蔵した低温液体１（例えば液化天然ガスでは−１６２℃）によって周辺地盤Ｇが凍結膨張することを防止するために、底版２には底部ヒータ９が埋設されている。（例えば、特許文献２参照）。また、底部ヒータ９としては、温水を用いたブラインヒータ、電気ヒータ等がある。
【先行技術文献】
【特許文献】
【０００５】
【特許文献１】特開２００４−１９９２０号公報
【特許文献２】特開２００１−７３３９５号公報
【発明の概要】
【発明が解決しようとする課題】
【０００６】
ここで、底版２の端部２ａ側に、周方向に延在するＰＣ鋼材８が配置され、また、ブラインヒータの場合は配管径が大きいため、底版２に埋設される底部ヒータ９の配置範囲を防液堤３の内面３ｂまでの中央部側Ｓ１とし、底版２の端部側Ｓ２には底部ヒータ９が配設されていない。
【０００７】
一方、底版２の端部側Ｓ２は、外気温の影響を受けて、夏は膨張し、冬は収縮する。そして、夏の膨張時には、底版２の中央部側Ｓ１に軸引張力が発生し、冬の収縮時には、底版２の端部側Ｓ２に軸引張力が発生する。このため、上記従来の低温液体貯蔵用タンクＡにおいては、低温液体漏洩に対して必要なＰＣ鋼材７、８に加え、夏の膨張時や冬の収縮時に発生する軸引張力を打ち消すためのＰＣ鋼材８を配置する必要があった。
【０００８】
本発明は、上記事情に鑑み、底版に軸引張力が発生することを抑止して、ＰＣ鋼材の配置数を削減することを可能にした低温液体貯蔵用タンクを提供することを目的とする。
【課題を解決するための手段】
【０００９】
上記の目的を達するために、この発明は以下の手段を提供している。
【００１０】
本発明の低温液体貯蔵用タンクは、底版と、該底版に下端部を剛結して立設した筒状の防液堤と、前記底版と前記防液堤で囲まれた内部に配設され、低温液体を貯蔵するための貯槽とを備える低温液体貯蔵用タンクであって、前記底版には、端部側に周方向に延在してプレストレスを導入するＰＣ鋼材が配設されるとともに、貯蔵した前記低温液体によって周辺地盤が凍結膨張することを防止するための底部ヒータが埋設され、前記底部ヒータが前記底版の中央部側から前記底版の端部側まで延設されている、あるいは前記底部ヒータが前記底版の中央部側から前記防液堤の内面まで延設されるとともに、前記底版の端部側に別系統の底部ヒータが配設されていることを特徴とする。
【００１１】
また、本発明の低温液体貯蔵用タンクにおいては、前記底部ヒータがブレインヒータであることが望ましい。
【発明の効果】
【００１２】
本発明の低温液体貯蔵用タンクにおいては、従来、防液堤の内面までの範囲に配置されている底部ヒータを底版のＰＣ鋼材が配置されている端部側まで延ばしたことで、または底版の端部側に別系統の底部ヒータを配置したことで、底部ヒータによって底版の端部側の温度を制御することが可能になる。これにより、底版の端部側が夏に膨張、冬に収縮する量を小さくでき、これに伴って底版の中央部側や端部側に発生する軸引張力を低減できる。
【００１３】
よって、本発明の低温液体貯蔵用タンクによれば、従来、底版の中央部側や端部側に発生する軸引張力を打ち消すために配置していたＰＣ鋼材を削減でき、底版の端部側に配置するＰＣ鋼材を削減することが可能になる。
【００１４】
逆に言えば、底版の端部側の温度を底部ヒータで制御するようにしたことで、底版の端部側に配置するＰＣ鋼材を削減することができ、この底版の端部側に配置するＰＣ鋼材を削減できることで、確実に底部ヒータを底版の端部側まで延ばし、または底版の端部側に別系統の底部ヒータを配置し、底版の端部側の温度を制御することが可能になる。
【００１５】
また、本発明の低温液体貯蔵用タンクにおいて、底部ヒータがブラインヒータの場合には、温水の温度を適度に調節することで、温度が低いところは高く、高いところは低くでき、底版の温度を平均化できる。
【図面の簡単な説明】
【００１６】
【図１】本発明の一実施形態に係る低温液体貯蔵用タンクを示す断面図である。
【図２】従来の低温液体貯蔵用タンクを示す断面図である。
【発明を実施するための形態】
【００１７】
以下、図１（及び図２）を参照し、本発明の一実施形態に係る低温液体貯蔵用タンクについて説明する。本実施形態は、例えば液化天然ガス等の低温液体の貯蔵に使用されるタンクに関するものである。
【００１８】
本実施形態の低温液体貯蔵用タンクＢは、図１に示すように、従来の低温液体貯蔵用タンクＡと同様、平盤状の底版２と、円筒状の防液堤３と、低温液体１を貯蔵する金属製の貯槽４と、屋根５と、保冷材６とを備えて構築されている。また、防液堤３は、周方向に配置したＰＣ鋼材７と縦方向（鉛直方向）に配置したＰＣ鋼材（不図示）によって、周方向と縦方向にそれぞれプレストレスを導入して構築されている。
【００１９】
また、本実施形態の底版２は、貯槽４に貯蔵した低温液体１によって周辺地盤Ｇが凍結膨張することを防止するための底部ヒータ１０を埋設して構築されている。さらに、底版２の端部２ａ側（Ｓ２）に、漏液時に低温液体１を確実に保持するためのＰＣ鋼材８が周方向に沿って配設され、この周方向に延在するＰＣ鋼材８によって端部側Ｓ２にプレストレスが導入されている。
【００２０】
一方、本実施形態の低温液体貯蔵用タンクＢでは、底部ヒータ１０が、貯槽４及び防液堤３の直下で、防液堤３の内面３ｂまでの中央部側Ｓ１だけでなく、この中央部側Ｓ１からＰＣ鋼材８が配設される底版２の端部側Ｓ２（防液堤３の内面３ｂよりも径方向外側の底版２の端部２ａ側）まで延設されている。すなわち、従来の低温液体貯蔵用タンクＡでは、底部ヒータ９が防液堤３の内面３ｂまでの中央部側Ｓ１の範囲に設けられているのに対し、本実施形態の低温液体貯蔵用タンクＢでは、底部ヒータ１０が底版２の端部側Ｓ２までの広範に配置されている。
【００２１】
そして、このように構成した本実施形態の低温液体貯蔵用タンクＢにおいては、従来、防液堤３の内面３ｂまでの範囲に配置されている底部ヒータを底版２のＰＣ鋼材８が配置されている端部側Ｓ２まで延ばしたことで、この底部ヒータ１０によって底版２の端部側Ｓ２の温度を制御することが可能になる。これにより、底版２の端部側Ｓ３が夏に膨張、冬に収縮する量を小さくでき、これに伴って底版２の中央部側Ｓ１や端部側Ｓ２に発生する軸引張力を低減できる。
【００２２】
よって、従来、底版２の中央部側Ｓ１や端部側Ｓ２に発生する軸引張力を打ち消すために配置していたＰＣ鋼材を削減でき、底版２の端部側Ｓ２に配置するＰＣ鋼材８を削減することが可能になる。
【００２３】
言い換えると、本実施形態の低温液体貯蔵用タンクＢにおいては、底版２の端部側Ｓ２の温度を底部ヒータ１０で制御するようにしたことで、底版２の端部側Ｓ２に配置するＰＣ鋼材８を削減することができ、この底版２の端部側Ｓ２に配置するＰＣ鋼材８を削減できることで、確実に底部ヒータ１０を底版２の端部側Ｓ２まで延ばし、底版２の端部側Ｓ２の温度を制御することが可能になる。
【００２４】
また、本実施形態の低温液体貯蔵用タンクＢにおいて、底部ヒータ１０がブラインヒータの場合には、温水の温度を適度に調節することで、温度が低いところは高く、高いところは低くでき、底版２の温度を平均化できる。
【００２５】
以上、本発明に係る低温液体貯蔵用タンクの一実施形態について説明したが、本発明は上記の実施形態に限定されるものではなく、その趣旨を逸脱しない範囲で適宜変更可能である。
【００２６】
例えば、本実施形態では、従来、防液堤３の内面３ｂまでの範囲に配置されている底部ヒータを底版２のＰＣ鋼材８が配置されている端部側Ｓ２まで延ばすようにした。これに対し、従来と同様に底部ヒータが底版２の中央部側Ｓ１から防液堤３の内面３ｂまで延設されるとともに、底版２の端部側Ｓ２に別系統の底部ヒータが配設されていてもよい。そして、この場合においても、本実施形態と同様、底版２の端部側Ｓ２に別系統の底部ヒータを配置したことで、底部ヒータによって底版２の端部側Ｓ２の温度を制御することが可能になり、底版２の端部側Ｓ２が夏に膨張、冬に収縮する量を小さくでき、これに伴って底版２の中央部側Ｓ１や端部側Ｓ２に発生する軸引張力を低減できる。
【符号の説明】
【００２７】
１      低温液体
２      底版
２ａ    端部
３      防液堤
３ａ    下端部
３ｂ    内面
４      貯槽（内槽）
５      屋根
６      保冷材
７      ＰＣ鋼材
８      ＰＣ鋼材
９      従来の底部ヒータ
１０    底部ヒータ
Ａ      従来の低温液体貯蔵用タンク
Ｂ      低温液体貯蔵用タンク
Ｇ      地盤
Ｓ１    底版の中央部側
Ｓ２    底版の端部側
【図１】
2014008984.tif 000003
【図２】
2014008984.tif 000004